(57)【要約】【課題】住宅の増築工事において、施工の省力化、コストダウン及び廃棄物の削減を図る母屋の延長工法を提供すること。【解決手段】既存住宅と増築部の境界に位置する既存隅木梁１０１に設置された母屋受け金具１０３に設置される母屋受け接続部４と該母屋受け接続部４と略９０°をなす母屋接続部５とを有する母屋延長金具２を用い、前記母屋受け金具２と前記母屋受け接続部４とを締結具２００で締結することにより、前記母屋受け金具２に前記母屋受け接続部４を固定し、前記母屋接続部５と新規母屋１の端部３とを締結具２００で締結することにより、前記新規母屋１を前記既存母屋１００の延長上に設置する。【選択図】　　　図２
2004027747.tif 000002
【特許請求の範囲】
【請求項１】
住宅の増築工事の際に既存住宅の増築部側の母屋の設置方向を略９０°変更して増築部の新規母屋を既存住宅の既存母屋と略同一面に配置する母屋の延長工法であって、
既存住宅と増築部の境界に位置する既存隅木梁に設置された母屋受け金具に設置される母屋受け接続部と該母屋受け接続部と略９０°をなす母屋接続部とを有する母屋延長金具を用い、前記母屋受け金具と前記母屋受け接続部とを締結具で締結することにより、前記母屋受け金具に前記母屋受け接続部を固定し、前記母屋接続部と前記新規母屋の端部とを締結具で締結することにより、前記新規母屋を前記既存母屋の延長上に設置することを特徴とする母屋の延長工法。
【発明の詳細な説明】
【０００１】
【発明の属する技術分野】
本発明は、住宅の増築時の増築工事に際し、既存住宅の小屋組を全面解体することなく母屋を延長することができる母屋の延長工法に関する。
【０００２】
【従来の技術】
寄棟造りの住宅の桁側面に増築すると、増築後では増築前と比べて、棟高さが高くなったり、棟方向が変わったりして、小屋組架構全体が変わることが多い（図１参照）。
【０００３】
このような場合であって、増築部の新規母屋を既存住宅の既存母屋と同一面に配置する場合には、既存住宅の増築部側の母屋の設置方向を略９０°変更する必要が生じる。このため、従来は、既存住宅の小屋組を全面的に解体し、かつ、既存母屋を全て撤去して、新しい小屋組及びこれに対応した新規母屋を施工し直していた。
【０００４】
【発明が解決しようとする課題】
しかしながら、既存住宅の小屋組を全面的に解体し、かつ、既存母屋を全て撤去して、新しい小屋組及びこれに対応した新規母屋を施工し直すので、多くの時間と労力を要し、施工期間が長くなるだけでなく、作業性が悪いという問題点があった。
【０００５】
更に、既存住宅の小屋組を全面的に解体し、かつ、既存母屋を全て撤去することにより、多量の産業廃棄物が発生し、これを運搬して処理するために、費用がかかるという問題点があった。
【０００６】
更にまた、多くの場合は、増築工事中であっても顧客が既存住宅の住宅内で生活を営むため、短期間で増築工事を終了することが望ましいが、施工期間の長期化に伴い顧客に不便を強いる期間が長くなり、顧客の負担が大きくなるという問題点があった。
【０００７】
本発明は、上記課題に鑑みてなされたものであり、住宅の増築工事において、施工の省力化、コストダウン及び廃棄物の削減を図る母屋の延長工法を提供することを目的とする。
【０００８】
【課題を解決するための手段】
前記目的を達成するためになされた本発明の請求項１に記載の母屋の延長工法は、住宅の増築工事の際に既存住宅の増築部側の母屋の設置方向を略９０°変更して増築部の新規母屋を既存住宅の既存母屋と略同一面に配置する母屋の延長工法であって、既存住宅と増築部の境界に位置する既存隅木梁に設置された母屋受け金具に設置される母屋受け接続部と該母屋受け接続部と略９０°をなす母屋接続部とを有する母屋延長金具を用い、前記母屋受け金具と前記母屋受け接続部とを締結具で締結することにより、前記母屋受け金具に前記母屋受け接続部を固定し、前記母屋接続部と前記新規母屋の端部とを締結具で締結することにより、前記新規母屋を前記既存母屋の延長上に設置することを特徴とするものである。
【０００９】
【発明の実施の形態】
以下、本発明の実施の形態について図面に基づいて説明する。本発明の第１の実施形態の母屋の延長工法は、図１に示すように、既存住宅の増築部側の母屋の設置方向を略９０°変更して増築部の新規軒先母屋１を既存住宅の既存軒先母屋１００と略同一面に配置するものであって、図２に示すように、既存住宅と増築部の境界に位置する既存隅木梁１０１（図示せず）の軒先部に設けられた既存軒先梁１０２の先端に設置された軒先母屋受け金具１０３に軒先母屋延長金具２を固定し、該軒先母屋受け金具２に新規軒先母屋１の端部３を接続することにより、新規軒先母屋１を既存軒先母屋１００の延長上に設置することにより行う。なお、本各実施の形態に示す既存隅木梁１０１及び既存軒先梁１０２は、２本のＣ型鋼をボルト締めで締結したものであって、既存大棟の端部から軒先の出隅に向って４５°の方向へ持ち出すように設けられている（図１参照）。
【００１０】
既存軒先母屋１００は、図３に示すように、先端を所定の形状に形成した長尺の木角材であり、端部を既存軒先梁１０２の先端に設けられた軒先母屋受け金具１０３にボルトナットから構成される締結具２００で締結して固定されることにより既存軒先梁１０２に設置されている（図１参照）。
【００１１】
軒先母屋受け金具１０３は、図３に示すように、中央部で略９０°の角度をなして折れ曲がり、両端部に貫通孔１０４ａが穿設された山形プレート１０４と、該山形プレート１０４の折曲部１０５の入隅に一方の縁辺が固着された略長方形の接続プレート１０６とを有している。軒先母屋受け金具１０３の既存軒先梁１０２への固定は、接続プレート１０６の他方を既存軒先梁１０２の先端から、既存軒先梁１０２の２本のＣ型鋼の間に挿入し、接続プレート１０６の他方を既存軒先梁１０２の先端にボルト締めで固定することにより行う。
【００１２】
既存軒先母屋１００の軒先母屋受け金具１０３への固定は、図２に示すように、既存軒先母屋１００の先端と増築部側の既存軒先母屋１０７の先端とが略合致するように、軒先母屋受け金具１０３の山形プレート１０４の両外側面に既存軒先母屋１００の端部と増築部側の既存軒先母屋１０７の端部とをそれぞれあてがい、締結具２００で締結して固定することにより行う。これにより、既存軒先母屋１００と増築部側の既存軒先母屋１０７とが同一面に、かつ、略９０°の角度をなして既存軒先梁１０２の先端部に配置される。
【００１３】
新規軒先母屋１は、図３に示す既存軒先母屋１００と同様に、先端を所定の形状に形成した長尺の木角材であって、端部３には貫通孔３ａが穿設されている（図５参照）。
【００１４】
軒先母屋延長金具２は、図３に示すように、両端部に貫通孔４ａ、５ａが穿設された１枚のプレートを中央部で捻るようにして略９０°の角度をなすように折り曲げて形成し、その一方を軒先母屋受け接続部４、その他方を軒先母屋接続部５としたものである。
【００１５】
軒先母屋延長金具２の軒先母屋受け金具１０３への固定は、図４に示すように、軒先母屋受け金具１０３の山形プレート１０４の増築部側の側面に軒先母屋延長金具２の軒先母屋受け接続部４の側面を軒先母屋受け金具１０３の折曲部１０５と軒先母屋延長金具２の折曲部６とが略合致するようにあてがい、軒先母屋受け金具１０３の山形プレート１０４の貫通孔１０４ａと軒先母屋延長金具２の軒先母屋受け接続部４の貫通孔４ａとを締結具２００で締結することにより行う。これにより、図５に示すように、軒先母屋延長金具２の軒先母屋接続部５と軒先母屋受け金具１０３の山形プレート１０４の既存軒先母屋１００側の側面とが略同一面に、かつ、一直線上に配置される。
【００１６】
新規軒先母屋１の端部３の軒先母屋延長金具２への接続は、図５に示すように、軒先母屋延長金具２を軒先母屋受け金具１０３に固定した後、既存軒先母屋１００の先端と新規軒先母屋１の先端とが略合致するように、軒先母屋延長金具２の軒先母屋接続部５に新規軒先母屋１の端部３をあてがい、該新規軒先母屋１の端部３の貫通孔３ａと軒先母屋延長金具２の軒先母屋接続部５の貫通孔５ａとを締結具２００で締結することにより行う。これにより、図２に示すように、新規軒先母屋１が既存軒先母屋１００の延長上に設置される。
【００１７】
以上により、図１に示すように、既存住宅の増築部側の母屋の設置方向が略９０°変更されて、新規軒先母屋１が既存軒先母屋１００と同一面に配置される、即ち、既存軒先母屋１００が増築部側へ延長されたこととなる。
【００１８】
次に、本発明の第２の実施形態の母屋の延長工法は、図１に示すように、既存住宅の増築部側の母屋の設置方向を略９０°変更して増築部の新規第１母屋１０を既存住宅の既存第１母屋１１０と同一面に配置するものであって、図６に示すように、既存軒先梁１０２の既存隅木梁１００（図示せず）の方の端部に設置された第１母屋受け金具１１１に第１母屋延長金具１１を固定し、該第１母屋延長金具１１に新規第１母屋１０の端部１２を接続することにより、新規第１母屋１０を既存第１母屋１１０の延長上に設置することにより行う。新規第１母屋１０は、長尺の木角材であって、端部１２には貫通孔１２ａが穿設されている（図１０参照）。
【００１９】
既存第１母屋１１０は、既存軒先母屋１００と同様の構成であって、図６に示すように、端部を既存軒先梁１０２の所定位置に設けられた第１母屋受け金具１１１に締結具２００で締結して固定されることにより、既存軒先１００の１段上に設置されている（図１参照）。
【００２０】
第１母屋受け金具１１１は、図７に示すように、斜辺が長辺に対して略４５°の角度をなす略台形の平部１１２と、該平部１１２の長辺から略９０°の角度をなして上向きに立ち上がり、端部に貫通孔１１３ａが穿設された第１母屋受け部１１３とを有している。第１母屋受け金具１１１の既存軒先梁１０２への固定は溶接により行われ、２個の第１母屋受け金具１１１は、各第１母屋受け部１１３が既存軒先梁１０２の長軸線Ｌに対して対称となるように、即ち、第１母屋受け部１１３どうしが略９０°の角度をなすように、既存軒先梁１０２の両側面に設けられている。
【００２１】
既存第１母屋１１０の第１母屋受け金具１１１への固定は、図６に示すように、
既存第１母屋１１０の先端を既存軒先梁１０２の増築部側面に当接させ、既存第１母屋１１０の端部を第１母屋受け金具１１１の平部１１２に載置し、第１母屋受け金具１１１の第１母屋受け部１１３に締結具２００で締結することにより行う。これにより、既存第１母屋１１０と増築部側の既存第１母屋１１４とが同一面に、かつ、略９０°の角度をなして既存軒先梁１０２に配置される。
【００２２】
第１母屋延長金具１１は、図８に示すように、斜辺が長辺に対して略４５°の角度をなす略台形の蓋部１３と、該蓋部１３の短辺から略９０°の角度をなして下向きに垂れ下がり、下隅角部に貫通孔１４ａが穿設された第１母屋受け接続部１４とを有する第１母屋受け接続部材１５と、斜辺が長辺に対して略４５°の角度をなす略台形の底部１６と、該底部１６の短辺から略９０°の角度をなして上向きに立ち上がり、上隅角部に貫通孔１７ａが穿設された第１母屋接続部１７とを有する第１母屋接続部材１８と、略長方形の添え部１９と、蓋部１３の斜辺と対向する縁辺及び第１母屋受け接続部１４の縁辺に固着された略長方形の補強部２０とを有しており、添え部１９の表面に底部１６の斜辺及び第１母屋接続部１７の縁辺及び蓋部１３の斜辺を固着することにより形成したものである。
【００２３】
第１母屋延長金具１１の増築部側の第１母屋受け金具１１１への固定は、図９に示すように、第１母屋延長金具１１の第１母屋受け接続部材１５を第１母屋受け金具１１１の第１母屋受け部１１３に上方から被せて、第１母屋受け金具１１１の第１母屋受け部１１３の平部１１２側面に第１母屋延長金具１１の第１母屋受け接続部材１５の第１母屋受け接続部１４をあてがうとともに、既存軒先梁１０２の増築部側面に第１母屋延長金具１１の添え部１９の裏面をあてがい、第１母屋受け金具１１の第１母屋受け部１１３に第１母屋延長金具１１の第１母屋受け接続部１４を締結具（図示せず）で締結して固定することにより行う。
【００２４】
このとき、第１母屋延長金具１１の第１母屋受け接続部材１５の折曲部の長さを、第１母屋受け金具１１１の第１母屋受け部１１３の上縁辺と略等しくしておくと、第１母屋延長金具１１を第１母屋受け金具１１１に固定したときに、第１母屋延長金具１１の第１母屋受け接続部材１５が、既存軒先梁１０２と第１母屋延長金具１１の補強部２０とで挟まれた状態となるので、第１母屋延長金具１１を第１母屋受け金具１１１に安定良く設置することができる（図１０参照）。
【００２５】
これにより、図１０に示すように、第１母屋延長金具１１の第１母屋接続部材１８の折曲部２１は、既存第１母屋１１０の方の第１母屋受け金具１１１の折曲部１１５と略同一面に、かつ、その延長線上に配置される。
【００２６】
新規第１母屋１０の端部１２の第１母屋延長金具１１への接続は、図１０に示すように、第１母屋延長金具１１を第１母屋受け金具１１１に固定した後、第１母屋延長金具１１の第１母屋接続部材１８に新規第１母屋１０の端部１２を載置し、該新規第１母屋１０の端部１２の貫通孔１２ａと第１母屋延長金具１１の第１母屋接続部１７の貫通孔１７ａとを締結具２００で締結することにより行う。これにより、図６に示すように、新規第１母屋１０が既存第１母屋１１０の延長上に設置される。
【００２７】
以上により、図１に示すように、既存住宅の増築部側の母屋の設置方向が略９０°変更されて、新規第１母屋１０が既存第１母屋１１０と同一面に配置される、即ち、既存第１母屋１１０が増築部側へ延長されたこととなる。
【００２８】
次に、本発明の第３の実施形態の母屋の延長工法は、図１に示すように、既存住宅の増築部側の母屋の設置方向を略９０°変更して増築部の新規第２母屋３０を既存住宅の既存第２母屋１２０と同一面に配置するものであって、図１１に示すように、既存隅木梁１０１と既存軒先梁１０２との接続部近傍に設置された第２母屋受け金具１２１に第２母屋延長金具３１を固定し、該第２母屋延長金具３１に新規第２母屋３０の端部３２を接続することにより、新規第２母屋３０を既存第２母屋１２０の延長上に設置することにより行う。新規第２母屋３０は、長尺の木角材であって、端部３２には貫通孔３２ａが穿設されている（図１５参照）。
【００２９】
既存第２母屋１２０は、既存軒先母屋１００及び既存第１母屋１１０と同様の構成であって、図１１に示すように、端部を既存隅木梁１０１の既存軒先梁１０１との接続部近傍に設けられた第２母屋受け金具１２１に締結具２００で締結して固定されることにより、既存軒先母屋１００の２段上に設置されている（図１参照）。
【００３０】
第２母屋受け金具１２１は、図１２に示すように、互いに略９０°をなす２つの縁辺を有する略六角形の平部１２２と、該各平部１２２の縁辺からそれぞれ略９０°をなして上向きに立ち上がり、上端部に貫通孔１２３ａが穿設された第２母屋受け部１２３とを有している。第２母屋受け金具１２１の既存隅木梁１０１への固定は溶接により行われ、第２母屋受け金具１２１の２個の第２母屋受け部１２３が互いに既存隅木梁１０１の長軸線Ｌに対して対称となるように既存隅木梁１０１の上面に設けられている。
【００３１】
既存第２母屋１２０の第２母屋受け金具１２１への固定は、図１１に示すように、、既存第２母屋１２０の先端と増築部側の既存第２母屋１２４の先端とが略合致するように、既存第２母屋１２０の端部及び増築部側の既存第２母屋１２４の端部をそれぞれ第２母屋受け金具１２１の平部１２２に載置するとともに、各第２母屋受け部１２３に締結具２００で締結して固定することにより行う。これにより、既存第２母屋１２０と増築部側の既存第２母屋１２４とが同一面に、かつ、略９０°の角度をなして既存隅木梁１０１に配置される。
【００３２】
第２母屋延長金具３１は、図１３に示すように、第２の実施形態の第１母屋延長金具１１と同様の構成であり、蓋部３３と貫通孔３４ａが穿設された第２母屋受け接続部３４とを有する第２母屋受け接続部材３５と、底部３６と貫通孔３７ａが穿設された第２母屋接続部３７とを有する第２母屋接続部材３８と、添え部３９と、補強部４０とを有しており、添え部３９の表面に底部３６の斜辺、第２母屋接続部３４の縁辺及び蓋部３３の斜辺を固着することにより形成したものである。
【００３３】
第２母屋延長金具３１の第２母屋受け金具１２１への固定においても、図１４に示すように、第２の実施形態と同様であり、第２母屋延長金具３１の第２母屋受け接続部材３５を第２母屋受け金具１２１の第２母屋受け部１２３に上方から被せて、第２母屋受け金具１２１の第２母屋受け部１２３に第２母屋延長金具３１の第２母屋受け接続部３４を締結具（図示せず）で締結して固定することにより行う。
【００３４】
このとき、第２母屋延長金具３１の第２母屋受け接続部材３５の折曲部の長さを、第２母屋延長金具３１を第２母屋受け金具１２１に固定したときの添え部３９から第２母屋受け部１２３の既存隅木梁１０１と対向する縁辺までの距離と略等しくしておくと、第２母屋延長金具３１を第２母屋受け金具１２１に固定したときに、第２母屋延長金具３１の第２母屋受け接続部材３５が、第２母屋延長金具３１の添え部４０と補強部４０とで挟まれた状態となるので、第２母屋延長金具３１を第２母屋受け金具１２１に安定良く設置することができる（図１５参照）。
【００３５】
これにより、図１５に示すように、第２母屋延長金具３１の第２母屋接続部材３８の折曲部４１が既存第２母屋１２０の方の折曲部１２５と略同一面に、かつ、その延長線上に配置される。
【００３６】
新規第２母屋３０の端部３２の第２母屋延長金具３１への接続は、図１５に示すように、第２母屋延長金具３１を第２母屋受け金具１２１に固定した後、第２母屋延長金具３１の第２母屋接続部材３８に新規第２母屋３０の端部３２を載置し、該新規第２母屋３０の端部３２の貫通孔３２ａと第２母屋延長金具３１の第２母屋接続部３７の貫通孔３７ａとを締結具２００で締結することにより行う。これにより、図１１に示すように、新規第２母屋３０が既存第２母屋１２０の延長上に設置される。
【００３７】
以上により、図１に示すように、既存住宅の増築部側の母屋の設置方向が略９０°変更されて、新規第２母屋３０が既存第２母屋１２０と同一面に配置される、即ち、既存第１母屋１２０が増築部側へ延長されたこととなる。
【００３８】
次に、本発明の第４の実施形態の母屋の延長工法は、図１に示すように、既存住宅の増築部側の母屋の設置方向を略９０°変更して増築部の新規一般母屋５０を既存住宅の既存一般母屋１３０と同一面に配置するものであって、図１６に示すように、既存隅木梁１０１に設置された一般母屋受け金具１３１に一般母屋延長金具５１を固定し、該一般母屋延長金具５１に新規一般母屋５０の端部５２を接続することにより、新規一般母屋５０を既存一般母屋１３０の延長上に設置することにより行う。なお、新規一般母屋５０は、長尺の木角材であって、端部５２には貫通孔５２ａが穿設されている（図２０参照）。
【００３９】
既存一般母屋１３０は、既存軒先母屋１００、既存第１母屋１１０及び既存第２母屋１２０と同様の構成であって、図１６に示すように、端部を既存隅木梁１０１に設けられた一般母屋受け金具１３１に締結具２００で締結して固定されることにより、既存軒先母屋１００の３段以上に設置されている（図１参照）。
【００４０】
一般母屋受け金具１３１は、図１７に示すように、第３の実施形態の第２母屋受け金具１２１と同様の構成であり、互いに略９０°をなす２つの縁辺を有する略六角形の平部１３２と、該各平部１３２の縁辺からそれぞれ略９０°をなして上向きに立ち上がり、上端部に貫通孔１３３ａが穿設された一般母屋受け部１３３とを有している。一般母屋受け金具１３１の既存隅木梁１０１への固定は溶接により行われ、一般母屋受け金具１３１の２個の一般母屋受け部１３３が互いに既存隅木梁１０１の長軸線Ｌに対して対称となるように既存隅木梁１０１の上面に設けられている。
【００４１】
既存一般母屋１３０の一般母屋受け金具１３１への固定も、図１６に示すように、第３の実施形態と同様に、既存一般母屋１３０の端部及び増築部側の既存一般母屋１３４の端部をそれぞれ一般母屋受け金具１３１の平部１３２に載置するとともに、各一般母屋受け部１３３に締結具２００で締結して固定することにより行う。これにより、既存一般母屋１３０と増築部側の既存一般母屋１３４とが同一面に、かつ、略９０°の角度をなして既存隅木梁１０１に配置される。
【００４２】
一般母屋延長金具５１は、図１８に示すように、斜辺が長辺に対して略４５°の角度をなし、上隅角部に貫通孔５３ａが穿設された略台形の一般母屋受け接続部５３と、略長方形状の底部５４と、該底部５４の長辺から略９０°の角度をなして上向きに立ち上がり、上隅角部に貫通孔５５ａが穿設された斜辺が長辺に対して略４５°の角度をなす略台形の一般母屋接続部５５とを有する一般母屋接続部材５６と、一般母屋受け接続部５６の斜辺と対向する縁辺に固着された補強部５７とを有しており、一般母屋受け接続部５３の斜辺と一般母屋接続部５５の斜辺とを略合致させて固着することにより形成したものである。
【００４３】
一般母屋延長金具５１の一般母屋受け金具１３１への固定は、図１９に示すように、一般母屋受け金具１３１の増築部側の一般母屋受け部１３３の平部１３２側面に一般母屋延長金具５１の一般母屋受け接続部５３をあてがい、一般母屋受け金具１３１の一般母屋受け部１３３に一般母屋延長金具５１の一般母屋受け接続部５３を締結具（図示せず）で締結して固定することにより行う。
【００４４】
このとき、一般母屋延長金具５１の一般母屋受け接続部５３の上縁辺の長さを、一般母屋延長金具５１を一般母屋受け金具１３１に固定したときに、一般母屋受け接続部５３の斜辺が既存一般母屋１３０の先端に当接する長さとしておくと、一般母屋延長金具５１の補強部５７に一般母屋受け金具１３１の一般母屋受け部１３３の既存隅木梁１０１と対向する縁辺が当接することとなり、一般母屋延長金具５１の一般母屋受け接続部５３が、既存一般母屋１３０と一般母屋延長金具５１の補強部５７とで挟まれた状態となるので、一般母屋延長金具５１を一般母屋受け金具１３１に安定良く設置することができる（図２０参照）。
【００４５】
これにより、図２０に示すように、一般母屋延長金具５１の一般母屋接続部材５６の折曲部５８が一般母屋受け金具１３１の既存般母屋１３０の方の折曲部１３５と略同一面に、かつ、その延長線上に配置される。
【００４６】
新規一般母屋５０の端部５２の一般母屋延長金具５１への接続は、図２０に示すように、一般母屋延長金具５１を一般母屋受け金具１３１に固定した後、一般母屋延長金具５１の一般母屋接続部材５６に新規一般母屋５０の端部５２を載置し、該新規一般母屋５０の端部５２の貫通孔５２ａと一般母屋延長金具５１の一般母屋接続部５５の貫通孔５５ａとを締結具２００で締結することにより行う。これにより、図１６に示すように、新規一般母屋５０が既存一般母屋１３０の延長上に設置される。
【００４７】
以上により、図１に示すように、既存住宅の増築部側の母屋の設置方向が略９０°変更されて、新規一般母屋５０が既存一般母屋１３０と同一面に配置される、即ち、既存一般母屋１３０が増築部側へ延長されたこととなる。
【００４８】
【発明の効果】
以上説明したように、本発明の請求項１に記載の母屋の延長工法は、既存住宅と増築部の境界に位置する既存隅木梁に設置された母屋受け金具に設置される母屋受け接続部と該母屋受け接続部と略９０°をなす母屋接続部とを有する母屋延長金具を用い、母屋受け金具と母屋受け接続部とを締結具で締結することにより、母屋受け金具に母屋受け接続部を固定し、母屋接続部と新規母屋の端部とを締結具で締結することにより、新規母屋を既存母屋の延長上に設置するので、既存住宅の小屋組を全面的に解体し、既存住宅の既存母屋を全て撤去することなく、既存住宅の増築部側の母屋の設置方向を略９０°変更して増築部の新規母屋を既存住宅の既存母屋と略同一面に配置することができるという利点がある。
【００４９】
このため、施工期間を短縮することができるだけでなく、労力を削減しながら作業性を向上させることができるという利点がある。
【００５０】
更に、既存住宅の小屋組を全面的に解体しないので、産業廃棄物の発生量を減少させることができるだけでなく、これを運搬して処理するための費用を削減することができるという利点がある。
【００５１】
そして、施工期間の短縮化により顧客に不便を強いる期間が短くなり、顧客の負担を軽減させることができるという利点がある。
【００５２】
即ち、本発明の母屋の延長工法によれば、住宅の増築工事において、施工の省力化、コストダウン及び廃棄物の削減を図ることができるという利点がある。
【図面の簡単な説明】
【図１】本発明の実施の形態に係る小屋組全体の概略を示す平面図である。
【図２】本発明の第１の実施形態を示す平面図である。
【図３】軒先母屋受け金具及び軒先母屋延長金具を示す斜視図である。
【図４】軒先母屋延長金具の軒先母屋受け金具への固定手順を示す説明図である。
【図５】新規軒先母屋の軒先母屋延長金具への接続手順を示す説明図である。
【図６】本発明の第２の実施形態を示す平面図である。
【図７】第１母屋受け金具を示す平面図である。
【図８】第１母屋延長金具を示す斜視図である。
【図９】第１母屋延長金具の第１母屋受け金具への固定手順を示す説明図である。
【図１０】新規第１母屋の第１母屋延長金具への接続手順を示す説明図である。
【図１１】本発明の第３の実施形態を示す平面図である。
【図１２】第２母屋受け金具を示す平面図である。
【図１３】第２母屋延長金具を示す斜視図である。
【図１４】第２母屋延長金具の第２母屋受け金具への固定手順を示す説明図である。
【図１５】新規第２母屋の第２母屋延長金具への接続手順を示す説明図である。
【図１６】本発明の第４の実施形態を示す平面図である。
【図１７】一般母屋受け金具を示す平面図である。
【図１８】一般母屋延長金具を示す斜視図である。
【図１９】一般母屋延長金具の一般母屋受け金具への固定手順を示す説明図である。
【図２０】新規一般母屋の一般母屋延長金具への接続手順を示す説明図である。
【符号の説明】
１，１０，３０，５０　新規母屋
２，１１，３１，５１　母屋延長金具
４，１４，３４，５３　母屋受け接続部
５，１７，３７，５５　母屋接続部
１００，１１０，１２０，１３０　既存母屋
１０１　既存隅木梁
１０３，１１１，１２１，１３１　母屋受け金具
２００　締結具
【図１】
2004027747.tif 000003
【図２】
2004027747.tif 000004
【図３】
2004027747.tif 000005
【図４】
2004027747.tif 000006
【図５】
2004027747.tif 000007
【図６】
2004027747.tif 000008
【図７】
2004027747.tif 000009
【図８】
2004027747.tif 000010
【図９】
2004027747.tif 000011
【図１０】
2004027747.tif 000012
【図１１】
2004027747.tif 000013
【図１２】
2004027747.tif 000014
【図１３】
2004027747.tif 000015
【図１４】
2004027747.tif 000016
【図１５】
2004027747.tif 000017
【図１６】
2004027747.tif 000018
【図１７】
2004027747.tif 000019
【図１８】
2004027747.tif 000020
【図１９】
2004027747.tif 000021
【図２０】
2004027747.tif 000022